(57)【要約】      （修正有）【課題】バール工具による不法侵入を防止する。【解決手段】防犯金具の先端部を９０度折り曲げ、ドア外枠内に設けられた、切り込み溝内に収納することにより、バール工具によるこじ開け不法侵入を防止する。【選択図】図８
2004251081.tif 000002
【特許請求の範囲】
【請求項１】
家屋の外開きドアにおいて、ドアとドア外枠間の隙間を防護するもので、かつ先端部がドア外枠に設けられた切込み溝に収納されているもの。
【発明の詳細な説明】
【０００１】
【発明の属する技術分野】建築用建具
【０００２】
【従来の技術】従来家屋外開きドアは施錠によって安全を確保していた。図１、図２、図３、は従来の家屋外開きドアおよびドア外
2004251081.tif 000003
また図４は図１のＡ〜Ａ’断面図である、但し説明の都合上図面サ
2004251081.tif 000004
にバール工具の先端を差込み、ドアを開放される恐れがあった、また、この隙間前面に防護板を取り付ける方法もあったが、バール工具の先端によりこの防護板が引き起こされ、不法侵入されることがあった。
【０００３】
【発明が解決しようとする課題】
この発明は家屋用外開きドアの安全性を高め、家屋内の安全を確保しようとするものである、図５、図６、図７、はこの発明による防犯金具を取り付けたドアおよびドア外枠を示す、図に
2004251081.tif 000005
設けられた切り込み溝である、図５のＢ〜Ｂ’断面図を図８に示す、但し説明の都合上図面上のサイズを５倍に拡大してある。
2004251081.tif 000006
発明によるドア外枠の切り込み溝である。
2004251081.tif 000007
９０度折り曲げられ、この発明によるドア外枠内に設けられた
2004251081.tif 000008
を不可能としている。
不法侵入者がドア開放を企図しようとしても、図９に示すよう
2004251081.tif 000009
に曲げるため、ドアを開放しようとすると、この発明によるド
2004251081.tif 000010
ここに防犯金具およびドア外枠を強固な材料を使用することにより、バール工具による不法侵入は不可能となり、屋内の安全性を高めることができるものである。
【０００４】
【課題を解決する為の手段】
家屋用ドア外枠の切り込み溝設置加工、およびドアの加工、防犯金具の取り付け。
【０００５】
【発明実施の形態】
家屋用外開きドア、ドア用外枠、防犯金具を相互に機能的状態に生産加工する。
【０００６】
【発明の効果】この発明により家屋内の安全性を格段に高くすることができるものである。
【図面の簡単な説明】
図１、図２、図３、は従来の家屋用外開きドアとドア外枠の正面図、平面図、側面図、である。図４は図１のＡ〜Ａ’断面図である、但し説明の都合上図面サイズを５倍に拡大してある。
2004251081.tif 000011
ドア外枠を示す。図８は図５のＢ〜Ｂ’断面図を示す、但し説明の都合上図面サイズを５倍に拡大している。
2004251081.tif 000012
【符号の説明】
2004251081.tif 000013
また断面図を表示するため、Ａ〜Ａ’、Ｂ〜Ｂ’計４個のローマ字を使用した。
【図１】
2004251081.tif 000014
【図２】
2004251081.tif 000015
【図４】
2004251081.tif 000016
【図５】
2004251081.tif 000017
【図６】
2004251081.tif 000018
【図８】
2004251081.tif 000019
【図９】
2004251081.tif 000020
【図１０】
2004251081.tif 000021
【手続補正書】
【提出日】平成15年5月6日(2003.5.6)
【手続補正１】
【補正対象書類名】明細書
【補正対象項目名】全文
【補正方法】変更
【補正の内容】
【特許請求の範囲】
【請求項１】家屋の外開きドアにおいて、ドアとドア外枠間の隙間を防護するもので、かつ先端部がドア外枠に設けられた切込み溝に収納されているもの。
【発明の詳細な説明】
【０００１】
【発明の属する技術分野】建築用建具
【０００２】
【従来の技術】従来家屋外開きドアは施錠によって安全を確保していた。図１、図２、図３、は従来の家屋外開きドアおよびドア外枠の正面図、平面図、側面図、である、１  はドア、２  はドア外枠、３  はドアとドア外枠間の隙間、４  は蝶番、５  は錠である。また図４は、図１のＡ〜Ａ’断面図である、但し説明の都合上図面サイズを５倍に拡大してある。図４において６はドア外枠、７  はドア、８  は錠、９  はドアとドア外枠との隙間である。家屋への不法侵入の一方法としてバール工具を使用して、図１の隙間３  にバール工具の先端を差し込み、ドアを開放される恐れがあった、またこの隙間全面に防護板を取り付ける方法もあったが、バール工具の先端によりこの防護板が引き起こされ、不法侵入されることがあった。
【０００３】
【発明が解決しようとする課題】
この発明は家屋用外開きドアの安全性を高め、家屋内の安全を確保しようとするものである、図５、図６、図７、はこの発明による防犯金具を取り付けたドアおよびドア外枠の正面図、平面図、側面図、である。図にて１０  はドア、１１  はこの発明による防犯金具、１２  はドア外枠内に設けられた切込み溝である、図５のＢ〜Ｂ’断面図を図８に示す、但し説明の都合上図面上のサイズを５倍に拡大してある。図８において１３  はドア外枠、１４  はドア、１５  は錠、１６  はこの発明による防犯金具、１７  はドアとドア外枠間の隙間、１８  はこの発明による防犯金具の取り付けボルト、１９はこの発明によるドア外枠の切り込み溝である。
図８に示すとおり、この発明は防犯金具１６  の先端が９０度折り曲げられ、この発明によるドア外枠内に設けられた切込み溝１９  に収納されており、バール工具によるこじ開け開放を不可能としている。
不法侵入者がドアは開放を企図しようとしても、図９に示すように、バール工具２０  はこの発明による防犯金具２１の先端を右方向に曲げるため、ドアを開放しようとすると、この発明によるドア外枠切り込み溝２２  に阻止されドア開放は不能となる。
ここに防犯金具およびドア外枠を強固な材料を使用することにより、バール工具による不法侵入は不可能となり、家屋内の安全性を高めることが出来るものである。
図１０  はこの発明による、防犯金具を取り付けた家屋用外開きドアの背面図を示す。
【０００４】
【課題を解決する為の手段】
家屋用ドア外枠の切り込み溝設置加工、およびドアの加工、防犯金具の取り付け。
【０００５】
【発明実施の形態】
家屋用外開きドア、ドア用外枠、防犯金具を相互に機能的状態に生産加工する。
【０００６】
【発明の効果】
この発明により家屋内の安全性を格段に高めることが出来るものである。
【図面の簡単な説明】
【図１】従来の家屋用外開きドアの正面図
【図２】従来の家屋用外開きドアの平面図
【図３】従来の家屋用外開きドアの側面図
【図４】従来の家屋用外開きドアの正面図、図１のＡ〜Ａ’断面図、但し説明の都合上図面サイズを５倍に拡大してある。
【図５】この発明による家屋用外開きドア、およびドア外枠正面図
【図６】この発明による家屋用外開きドア、およびドア外枠平面図
【図７】この発明による家屋用外開きドア、およびドア外枠側面図
【図８】この発明による家屋用外開きドア、およびドア外枠の正面図図５のＢ〜Ｂ’断面図、但し説明の都合上図面サイズを５倍に拡大している。
【図９】この発明による家屋用外開きドア、およびドア外枠の正面図図５のＢ〜Ｂ’断面図、但し説明の都合上図面サイズを５倍に拡大してある、いま不法侵入を企図しようとして、バールの先端をこの発明による、ドア外枠内に設けられた切り込み溝に挿入した図である。
【図１０】この発明による家屋用外開きドア、およびドア外枠背面図。
【符号の説明】
１    従来の家屋用外開きドア。
２    従来の家屋用外開きドア外枠。
３    従来の家屋用外開きドアと、ドア外枠との隙間。
４    従来の家屋用外開きドア用蝶番。
５    従来の家屋用外開きドア用錠。
６    従来の家屋用外開きドア外枠、但し図１のＡ〜Ａ’断面図であり、説明の都合上図面サイズを５倍に拡大している。
７    従来の家屋用外開きドア。
８    従来の家屋用外開きドア用錠。
９    従来の家屋用外開きドアと、ドア外枠間の隙間。
１０  この発明による家屋用外開きドア。
１１  この発明による家屋用外開きドア用防犯金具。
１２  この発明による家屋用外開きドア外枠の切り込み溝。
１３  この発明による家屋用外開きドア外枠、図５のＢ〜Ｂ’断面図、但し説明の都合上図面サイズを５倍に拡大している。
１４  この発明による家屋用外開きドア。
１５  この発明による家屋用外開きドアの錠。
１６  この発明による家屋用外開きドア用防犯金具。
１７  この発明による家屋用外開きドアと、ドア外枠間の隙間。
１８  この発明による家屋用外開きドア用防犯金具の取り付けボルト。
１９  この発明による家屋用外開きドアと、ドア外枠間の隙間。
２０  バール工具先端部。
２１  この発明による家屋用外開きドア用防犯金具の先端部。
２２  この発明による家屋用外開きドア外枠。
２３  この発明による家屋用外開きドア。
２４  この発明による家屋用外開きドア外枠。
２５  この発明による家屋用外開きドア用防犯金具。
２６  この発明による家屋用外開きドアの防犯金具取り付けボルト。
Ａ〜Ａ’  図１の断面部分を表示。
Ｂ〜Ｂ’  図５の断面部分を表示。


【手続補正２】
【補正対象書類名】図面
【補正対象項目名】全図
【補正方法】変更
【補正の内容】
【図１】
2004251081.tif 000022
【図２】
2004251081.tif 000023
【図３】
2004251081.tif 000024
【図４】
2004251081.tif 000025
【図５】
2004251081.tif 000026
【図６】
2004251081.tif 000027
【図７】
2004251081.tif 000028
【図８】
2004251081.tif 000029
【図９】
2004251081.tif 000030
【図１０】
2004251081.tif 000031